(57)【要約】 【課題】  暗証番号入力装置を手に持って暗証番号を入力する際には、十分な滑止め感と手持ち感を得ることができるようにする。【解決手段】  暗証番号の入力キー８を有する装置本体２と、この装置本体２に取り付けられ、暗証番号の入力キー８を外部から遮る遮蔽カバー１３と、この遮蔽カバー１３に設けられた滑止部１４とを具備する。【選択図】図１
2011028508.tif 000002
【特許請求の範囲】
【請求項１】
暗証番号の入力部を有する装置本体と、
この装置本体に取り付けられ、前記暗証番号の入力部を外部から遮る遮蔽部材と、
この遮蔽部材に設けられた滑止部と
を具備することを特徴とする暗証番号入力装置。
【請求項２】
前記遮蔽部材は、着脱自在に設けられたことを特徴とする請求項１記載の暗証番号入力装置。
【請求項３】
前記遮蔽部材は前記装置本体の両側壁部から立ち上がる側壁部を有し、
前記滑止部は前記遮蔽部材の少なくとも一方の側壁部外面に形成されたことを特徴とする請求項１または２記載の暗証番号入力装置。
【請求項４】
前記滑止部は前記装置本体の側面部に沿うように形成されたことを特徴とする請求項２または３記載の暗証番号入力装置。
【請求項５】
前記滑止部は、断面凹状をなすことを特徴とする請求項３または４記載の暗証番号入力装置。
【請求項６】
前記滑止部は、断面凸状をなすことを特徴とする請求項３または４記載の暗証番号入力装置。
【発明の詳細な説明】
【技術分野】
【０００１】
本発明は、例えば、決済端末装置などで、個人照合を暗証番号の入力により行なう暗証番号入力装置に関する。
【背景技術】
【０００２】
この種の暗証番号入力装置は装置本体を備え、その上面部に暗証番号を入力させるための入力部を有している。この暗証番号入力装置では、使用者が入力部を操作して自分の暗証番号を入力するが、このとき外部から暗証番号の入力操作が覗き見られてしまう虞がある。
【０００３】
このため、従来においては、装置本体にその入力部を外部から遮るように遮蔽カバーを設け、この遮蔽カバーにより入力操作が覗き見られないようにしている。
【０００４】
ところで、暗証番号入力装置は、使用者により手に持たれた状態で入力部が押圧操作されることが多い。このため、暗証番号の入力操作時に手が滑って暗証番号入力装置が落下してしまう虞があった。
【０００５】
このような落下を防止するために、従来より、筐体に滑り止めとして凹凸部を形成し、この凹凸部に指先を引っ掛けることにより筐体を保持できるようにしたものは知られている（例えば、特許文献１参照。）。
【発明の概要】
【発明が解決しようとする課題】
【０００６】
しかしながら、従来においては、暗証番号入力装置の遮蔽カバーに滑止部を設けるものはなかった。このため、暗証番号入力装置を手に持って暗証番号を入力する場合には、十分な滑止め感と手持ち感を得ることができず、落下損傷させてしまう虞があった。
【０００７】
本発明は上記事情に着目してなされたもので、その目的とするところは、十分な滑止め感と手持ち感を得て、暗証番号の入力操作時における落下損傷を防止できるようにした暗証番号入力装置を提供することにある。
【課題を解決するための手段】
【０００８】
上記の課題を解決するために、本発明は、暗証番号の入力部を有する装置本体と、この装置本体に取り付けられ、前記暗証番号の入力部を外部から遮る遮蔽部材と、この遮蔽部材に設けられた滑止部とを具備することを特徴とする。
【発明の効果】
【０００９】
本発明によれば、十分な滑止め感と手持ち感を得ることができ、暗証番号の入力操作時における落下損傷を防止できる。
【図面の簡単な説明】
【００１０】
【図１】本発明の第１の実施の形態である暗証番号入力装置を示す外観斜視図。
【図２】図１中Ａ−Ａ線に沿って示す断面図。
【図３】本発明の第２の実施の形態である暗証番号入力装置を示す外観斜視図。
【図４】図３中Ｂ−Ｂ線に沿って示す断面図。
【発明を実施するための形態】
【００１１】
以下、本発明の実施の形態について、図面を参照して詳細に説明する。
【００１２】
図１は、本発明の第１の実施の形態に係わる暗証番号入力装置１を示す斜視図である。
【００１３】
この暗証番号入力装置１は装置本体２を備え、この装置本体２の上面部にはクレジットカードやデビットカードなどを挿入させるためのカード挿入口３が設けられている。
【００１４】
さらに、装置本体２の上面部には、操作の手順などを表示する表示部５、及び操作部６が配設されている。操作部６には暗証番号を入力するための入力部としての入力キー８、実行キー９、訂正キー１０、クリアキー１１、ファンクションキーＦ１，Ｆ２，Ｆ３などが配設されている。
【００１５】
また、装置本体２には暗証番号入力時に、他人に入力操作を覗き見られないようにするために遮蔽部材としての遮蔽カバー１３が着脱自在に取り付けられている。遮蔽カバー１３は装置本体２の周囲部に沿って立ち上がるように構成され、上面部と正面部が開口されている。
【００１６】
遮蔽カバー１３は両側壁部を有し、これら両側壁部の外面下部側には滑止部１４が装置本体２の側面部に沿うようにそれぞれ形成されている。滑止部１４は図２にも示すように断面凹状に形成されている。
【００１７】
なお、滑止部１４は装置本体２の側面部よりもやや高い部位に位置し、使用者が暗証番号入力装置１を持って手の平に載せたとき、指先を滑止部１４に引っ掛け易くなっている。
【００１８】
また、滑止部１４は遮蔽カバー１３の両側壁部にそれぞれ形成されるため、使用者が右利きであっても、或いは左利きであっても、何れか一方の滑止部１４に指先を引っ掛けて保持することが可能になっている。
【００１９】
次に、暗証番号入力装置１を使用する場合について説明する。
【００２０】
まず、使用者は、暗証番号入力装置１を一方の手に持ってその操作面側を上向きにして手の平に載せ、指先を遮蔽カバー１３の滑止部１４に引っ掛けて保持する。この状態からＩＣカードをカード挿入口３内に挿入し、ついで、他方の手の指先で入力キー８を押圧操作して暗証番号を入力する。
【００２１】
この実施の形態によれば、遮蔽カバー１３に滑止部１４を形成し、この滑止部１４に指先を引っ掛けて暗証番号入力装置１を保持するため、十分な滑止め感と手持ち感を得ることができる。
【００２２】
従って、暗証番号の入力操作時に暗証番号入力装置１が落下することを確実に防止することが可能となる。
【００２３】
図３は本発明の第２の実施の形態に係わる暗証番号入力装置を示す斜視図である。
【００２４】
なお、上記した第１の実施の形態で説明した部位と同一部位については、同一番号を付してその説明を省略する。
【００２５】
上記した第１の実施の形態では、遮蔽カバー１３に断面凹状の滑止部１４を形成したが、この第２の実施の形態では、図４にも示すように断面凸状の滑止部２１を遮蔽カバー１３に一体的に突設している。
【００２６】
この第２の実施の形態においても、遮蔽カバー１３の滑止部２１に指先を引っ掛けることにより、十分な滑止め感と手持ち感を得ることができ、暗証番号の入力操作時に暗証番号入力装置１が落下することを確実に防止することができる。
【００２７】
なお、上記した各実施の形態では、滑止部１４，２１を遮蔽カバー１３の側面部に直線的に長く形成したが、この発明はこれに限られることなく、遮蔽カバー１３の側面部に例えば、小さい突部を複数個突設しても良く、また、小さな凹部を複数個形成しても良い。要は、遮蔽カバー１３の側面部に指先を当てたときに、十分な滑止効果を得ることができれば、どのような形状であっても良い。
【００２８】
その他、この発明は、その要旨を逸脱しない範囲内で種々変形実施可能なことは勿論のことである。
【符号の説明】
【００２９】
２…装置本体、８…テンキー（入力部）、１３…遮蔽カバー（遮蔽部材）、１４，２１…滑止部。
【先行技術文献】
【特許文献】
【００３０】
【特許文献１】特開２０００−３１６０４１号公報
【図１】
2011028508.tif 000003
【図２】
2011028508.tif 000004
【図３】
2011028508.tif 000005
【図４】
2011028508.tif 000006